(57)【要約】【課題】プロジェクタなどの映像投射装置からスクリーンに映し出された画像をセンサなどを使用せずに色調整する。【解決手段】観測者の目視による判定に基づいて色画像５１，…，５６から基準色画像５０に最も近い色画像が選択される。次に、選択された色画像を基準色画像５７とし、同基準色画像５７に対して色調整バー５８，５９を用いて観測者の好みによる任意の色の微調整が行われる。そして、微調整された色画像と映像信号とが比較されて同映像信号を補正するための補正データが作成され、同補正データに基づいて映像信号が調整され、色調整された映像信号が取得される。色調整された映像信号に基づく映像がスクリーン２０へ投射され、色調整後の画像５Ａが表示される。【選択図】　　　　図５
2004015522.tif 000002
【特許請求の範囲】
【請求項１】
光源から発生した白色光を映像信号に対応して変調した後、白色のスクリーンに投射する映像投射装置において、前記スクリーンに表示される画像の色調整を行う色調整方法であって、
白色の基準色画像、及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴とする映像投射装置における色調整方法。
【請求項２】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
白色の基準色画像、及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴とする映像投射装置における色調整方法。
【請求項３】
光源から発生した白色光を映像信号に対応して変調した後、白色のスクリーンに投射する映像投射装置において、前記スクリーンに表示される画像の色調整を行う色調整方法であって、
任意の色バランスを有する基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴とする映像投射装置における色調整方法。
【請求項４】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
任意の色バランスを有する基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴とする映像投射装置における色調整方法。
【請求項５】
光源から発生した白色光を映像信号に対応して変調した後、白色のスクリーンに投射する映像投射装置において、前記スクリーンに表示される画像の色調整を行う色調整方法であって、
特定色の基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴とする映像投射装置における色調整方法。
【請求項６】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
特定色の基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴とする映像投射装置における色調整方法。
【請求項７】
光源から発生した白色光を映像信号に対応して変調した後、白色のスクリーンに投射する映像投射装置において、前記スクリーンに表示される画像の色調整を行う色調整方法であって、
外光によって前記スクリーンに色ずれが発生しているとき、基準色画像及び該基準色画像の輝度、色相又は飽和度のうちの少なくとも一つが異なる複数種類の色画像を前記スクリーンに投射し、観測者の判定に基づいて前記各色画像から色ずれのない白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴とする映像投射装置における色調整方法。
【請求項８】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
外光によって前記スクリーンに色ずれが発生しているとき、基準色画像及び該基準色画像の輝度、色相又は飽和度のうちの少なくとも一つが異なる複数種類の色画像を前記スクリーンに投射し、観測者の判定に基づいて前記各色画像から色ずれのない白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴とする映像投射装置における色調整方法。
【請求項９】
光源から発生した白色光を映像信号に対応して変調した後、白色のスクリーンに投射する映像投射装置において、前記スクリーンに表示される画像の色調整を行う色調整方法であって、
外光によって前記スクリーンに色ずれが発生しているとき、任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴とする映像投射装置における色調整方法。
【請求項１０】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
外光によって前記スクリーンに色ずれが発生しているとき、任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴とする映像投射装置における色調整方法。
【請求項１１】
光源から発生した白色光を映像信号に対応して変調した後、白色のスクリーンに投射する映像投射装置において、前記スクリーンに表示される画像の色調整を行う色調整方法であって、
外光によって前記スクリーンに色ずれが発生しているとき、特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴とする映像投射装置における色調整方法。
【請求項１２】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
外光によって前記スクリーンに色ずれが発生しているとき、特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴とする映像投射装置における色調整方法。
【請求項１３】
光源から発生した白色光を映像信号に対応して変調した後、白色以外のスクリーンに投射する映像投射装置において、前記スクリーンに表示される画像の色調整を行う色調整方法であって、
白色の基準色画像及び該基準色画像の輝度、色相又は飽和度のうちの少なくとも一つが異なる複数種類の色画像を前記スクリーンに投射し、観測者の判定に基づいて前記各色画像から白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴とする映像投射装置における色調整方法。
【請求項１４】
光源から発生した白色光を赤，緑，青の原色光に分光し、前記各原色光を映像信号に対応してそれぞれ変調した後、合成して白色以外のスクリーンに投射する映像投射装置において、前記スクリーンに表示される画像の色調整を行う色調整方法であって、
白色の基準色画像及び該基準色画像の輝度、色相又は飽和度のうちの少なくとも一つが異なる複数種類の色画像を前記スクリーンに投射し、観測者の判定に基づいて前記各色画像から白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴とする映像投射装置における色調整方法。
【請求項１５】
光源から発生した白色光を映像信号に対応して変調した後、白色以外のスクリーンに投射する映像投射装置において、前記スクリーンに表示される画像の色調整を行う色調整方法であって、
任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴とする映像投射装置における色調整方法。
【請求項１６】
光源から発生した白色光を赤，緑，青の原色光に分光し、前記各原色光を映像信号に対応してそれぞれ変調した後、合成して白色以外のスクリーンに投射する映像投射装置において、前記スクリーンに表示される画像の色調整を行う色調整方法であって、
任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴とする映像投射装置における色調整方法。
【請求項１７】
光源から発生した白色光を映像信号に対応して変調した後、白色以外のスクリーンに投射する映像投射装置において、前記スクリーンに表示される画像の色調整を行う色調整方法であって、
特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴とする映像投射装置における色調整方法。
【請求項１８】
光源から発生した白色光を赤，緑，青の原色光に分光し、前記各原色光を映像信号に対応してそれぞれ変調した後、合成して白色以外のスクリーンに投射する映像投射装置において、前記スクリーンに表示される画像の色調整を行う色調整方法であって、
特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴とする映像投射装置における色調整方法。
【請求項１９】
光源から発生した白色光を映像信号に対応して変調した後、白色のスクリーンに投射する映像投射装置において、前記スクリーンに表示される画像の色調整を行う色調整方法であって、
白色の基準色画像及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像の色相を観測者の判定に基づいて調整し、該調整された色画像と前記映像信号とを比較して該映像信号を補正するための補正データを作成し、該補正データに基づいて前記映像信号を調整する白色点調整処理を行うことを特徴とする映像投射装置における色調整方法。
【請求項２０】
光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法であって、
白色の基準色画像及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像の色相を観測者の判定に基づいて調整し、該調整された色画像と前記映像信号とを比較して該映像信号を補正するための補正データを作成し、該補正データに基づいて前記映像信号を調整する白色点調整処理を行うことを特徴とする映像投射装置における色調整方法。
【請求項２１】
光源から発生した白色光を映像信号に対応して変調した後、スクリーンに投射する映像投射装置において、前記スクリーンに表示される画像の色調整を行う色調整方法であって、
赤，緑，青、及びこれらを合成した白色の色画像、及び前記赤，緑，青の色画像の色度を調整するための色度調整用画面を前記スクリーンに投射し、観測者が前記色度調整用画面を用いて前記赤，緑，青の色度を調整し、該調整された色画像と前記映像信号とを比較して該映像信号を補正するための補正データを作成し、該補正データに基づいて前記映像信号を調整する白色点調整処理を行うことを特徴とする映像投射装置における色調整方法。
【請求項２２】
光源から発生した白色光を赤，緑，青の原色光に分光し、前記各原色光を映像信号に対応してそれぞれ変調した後、合成してスクリーンに投射する映像投射装置において、前記スクリーンに表示される画像の色調整を行う色調整方法であって、
赤，緑，青、及びこれらを合成した白色の色画像、及び前記赤，緑，青の色画像の色度を調整するための色度調整用画面を前記スクリーンに投射し、観測者が前記色度調整用画面を用いて前記赤，緑，青の色度を調整し、該調整された色画像と前記映像信号とを比較して該映像信号を補正するための補正データを作成し、該補正データに基づいて前記映像信号を調整する白色点調整処理を行うことを特徴とする映像投射装置における色調整方法。
【請求項２３】
コンピュータに請求項１乃至２２記載の映像投射装置における色調整方法を実施させるための色調整プログラム。
【発明の詳細な説明】
【０００１】
【発明の属する技術分野】
この発明は、映像投射装置における色調整方法、及び該方法に用いられる色調整プログラムに係り、特に、映像投射装置に対して色調整用のセンサなどを用いずに色調整を行う必要がある場合に用いて好適な映像投射装置における色調整方法、及び該方法に用いられる色調整プログラムに関する。
【０００２】
【従来の技術】
プロジェクタなどの映像投射装置では、光源としてランプが用いられているが、このランプの光量に経時変化（低下）があるため、スクリーン上の投射映像に対してホワイトバランスの調整を随時行う必要がある。また、映像投射装置が使用される場所によっては、外光の影響によって投射映像に色ずれが発生することがあるため、同投射映像に対して色調整を行う必要がある。また、スクリーンが白色でない場合も、投射映像に色ずれが発生するため、同投射映像に対して色調整を行う必要がある。また、ランプには寿命があるため、ランプが著しく劣化した場合に交換されるが、この交換時に同様の色調整を行う必要がある。
【０００３】
この種の映像投射装置における色調整方法は、従来では例えば図９に示すように、映像投射装置１と、スクリーン２と、色彩計３とが組合わされて行われる。図９中の映像投射装置１は、図１０に示すように、メモリ４と、比較部５と、映像信号処理部６と、ＣＰＵ（中央処理装置）７と、ランプ８と、映像出力部９とから構成されている。メモリ４は、外部から供給される映像信号ｉｎ、色彩計３から供給される白色のスクリーン２のデータａ及び投射映像のデータｂを保持する。比較部５は、投射映像のデータｂと、メモリ４に保持されている白色スクリーンのデータａとを比較して補正データｃを生成する。映像信号処理部６は、メモリ４に保持されている映像信号ｉｎに補正データｃを加えることにより、色調整された映像信号ｄを生成する。ＣＰＵ７は、映像投射装置１全体を制御する。映像出力部９は、たとえば投射型液晶やＤＬＰ（Ｄｉｇｉｔａｌ　Ｌｉｇｈｔ　Ｐｒｏｃｅｓｓｉｎｇ）方式の光学エンジンなどで構成され、ランプ８から発生した白色光を赤，緑，青の原色光に分光し、同各原色光を映像信号ｄに対応してそれぞれ変調した後、合成してスクリーン２に投射する。
【０００４】
この映像投射装置１における色調整方法では、図１１に示すように、色彩計３によって白色のスクリーン２のデータａ及び投射映像のデータｂが赤，緑，青毎に取得される（ステップＡ１）。これらのデータａ，ｂは、比較部５で比較され（ステップＡ２）、補正データｃが作成される（ステップＡ３）。映像信号処理部６では、メモリ４に保持されている映像信号ｉｎに補正データｃが加算され、色調整済みの映像信号ｄが生成される（ステップＡ４）。そして、映像出力部９から映像信号ｄに基づく映像がスクリーン２に投射される（ステップＡ５）。
【０００５】
また、図１２に示すように、色彩計の機能が付加された映像投射装置１Ａがある場合も、同様に、外部から供給される映像信号に対して補正データが加算され、色調整された映像がスクリーン２に投射される。
【０００６】
【発明が解決しようとする課題】
しかしながら、上記従来の映像投射装置における色調整方法では、次のような問題点があった。
すなわち、色調整を行うためには、図９中の色彩計３や図１２中の映像投射装置１Ａのように、白色のスクリーン２のデータａ及び投射映像のデータｂを取得するためのセンサが必要であり、同センサがなければ、色調整ができないという問題点があった。このため、センサがなくても色調整を行うことのできる色調整方法を得る必要があるという課題があった。
【０００７】
この発明は、上述の事情に鑑みてなされたもので、スクリーンに映し出された画像をセンサなどを使用せずに色調整する映像投射装置における色調整方法、及び該方法に用いられる色調整プログラムを提供することを目的としている。
【０００８】
【課題を解決するための手段】
上記課題を解決するために、請求項１記載の発明は、光源から発生した白色光を映像信号に対応して変調した後、白色のスクリーンに投射する映像投射装置において、前記スクリーンに表示される画像の色調整を行う色調整方法に係り、白色の基準色画像、及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴としている。
【０００９】
請求項２記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、白色の基準色画像、及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴としている。
【００１０】
請求項３記載の発明は、光源から発生した白色光を映像信号に対応して変調した後、白色のスクリーンに投射する映像投射装置において、前記スクリーンに表示される画像の色調整を行う色調整方法に係り、任意の色バランスを有する基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴としている。
【００１１】
請求項４記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、任意の色バランスを有する基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴としている。
【００１２】
請求項５記載の発明は、光源から発生した白色光を映像信号に対応して変調した後、白色のスクリーンに投射する映像投射装置において、前記スクリーンに表示される画像の色調整を行う色調整方法に係り、特定色の基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴としている。
【００１３】
請求項６記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、特定色の基準色画像、及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴としている。
【００１４】
請求項７記載の発明は、光源から発生した白色光を映像信号に対応して変調した後、白色のスクリーンに投射する映像投射装置において、前記スクリーンに表示される画像の色調整を行う色調整方法に係り、外光によって前記スクリーンに色ずれが発生しているとき、基準色画像及び該基準色画像の輝度、色相又は飽和度のうちの少なくとも一つが異なる複数種類の色画像を前記スクリーンに投射し、観測者の判定に基づいて前記各色画像から色ずれのない白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴としている。
【００１５】
請求項８記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、外光によって前記スクリーンに色ずれが発生しているとき、基準色画像及び該基準色画像の輝度、色相又は飽和度のうちの少なくとも一つが異なる複数種類の色画像を前記スクリーンに投射し、観測者の判定に基づいて前記各色画像から色ずれのない白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴としている。
【００１６】
請求項９記載の発明は、光源から発生した白色光を映像信号に対応して変調した後、白色のスクリーンに投射する映像投射装置において、前記スクリーンに表示される画像の色調整を行う色調整方法に係り、外光によって前記スクリーンに色ずれが発生しているとき、任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴としている。
【００１７】
請求項１０記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、外光によって前記スクリーンに色ずれが発生しているとき、任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴としている。
【００１８】
請求項１１記載の発明は、光源から発生した白色光を映像信号に対応して変調した後、白色のスクリーンに投射する映像投射装置において、前記スクリーンに表示される画像の色調整を行う色調整方法に係り、外光によって前記スクリーンに色ずれが発生しているとき、特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴としている。
【００１９】
請求項１２記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、外光によって前記スクリーンに色ずれが発生しているとき、特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴としている。
【００２０】
請求項１３記載の発明は、光源から発生した白色光を映像信号に対応して変調した後、白色以外のスクリーンに投射する映像投射装置において、前記スクリーンに表示される画像の色調整を行う色調整方法に係り、白色の基準色画像及び該基準色画像の輝度、色相又は飽和度のうちの少なくとも一つが異なる複数種類の色画像を前記スクリーンに投射し、観測者の判定に基づいて前記各色画像から白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴としている。
【００２１】
請求項１４記載の発明は、光源から発生した白色光を赤，緑，青の原色光に分光し、前記各原色光を映像信号に対応してそれぞれ変調した後、合成して白色以外のスクリーンに投射する映像投射装置において、前記スクリーンに表示される画像の色調整を行う色調整方法に係り、白色の基準色画像及び該基準色画像の輝度、色相又は飽和度のうちの少なくとも一つが異なる複数種類の色画像を前記スクリーンに投射し、観測者の判定に基づいて前記各色画像から白色のスクリーンに投射したときの前記基準色画像に最も近い色画像を選択し、該選択された前記色画像と前記映像信号とを比較して該映像信号を補正するための補正データを作成し、該補正データに基づいて前記映像信号を調整する白色点調整処理を行うことを特徴としている。
【００２２】
請求項１５記載の発明は、光源から発生した白色光を映像信号に対応して変調した後、白色以外のスクリーンに投射する映像投射装置において、前記スクリーンに表示される画像の色調整を行う色調整方法に係り、任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴としている。
【００２３】
請求項１６記載の発明は、光源から発生した白色光を赤，緑，青の原色光に分光し、前記各原色光を映像信号に対応してそれぞれ変調した後、合成して白色以外のスクリーンに投射する映像投射装置において、前記スクリーンに表示される画像の色調整を行う色調整方法に係り、任意の色バランスを有する基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記色バランスを調整する色バランス調整処理を行うことを特徴としている。
【００２４】
請求項１７記載の発明は、光源から発生した白色光を映像信号に対応して変調した後、白色以外のスクリーンに投射する映像投射装置において、前記スクリーンに表示される画像の色調整を行う色調整方法に係り、特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴としている。
【００２５】
請求項１８記載の発明は、光源から発生した白色光を赤，緑，青の原色光に分光し、前記各原色光を映像信号に対応してそれぞれ変調した後、合成して白色以外のスクリーンに投射する映像投射装置において、前記スクリーンに表示される画像の色調整を行う色調整方法に係り、特定色の基準色画像及び該基準色画像の輝度、色相又は飽和度のうちの少なくとも一つが異なる複数種類の色画像を前記スクリーンに投射し、観測者の判定に基づいて前記各色画像から最も前記基準色画像に近い色画像を選択し、該選択された前記色画像と前記映像信号とを比較して該映像信号を補正するための補正データを作成し、該補正データに基づいて前記映像信号の前記特定色を調整する特定色調整処理を行うことを特徴としている。
【００２６】
請求項１９記載の発明は、光源から発生した白色光を映像信号に対応して変調した後、白色のスクリーンに投射する映像投射装置において、前記スクリーンに表示される画像の色調整を行う色調整方法に係り、白色の基準色画像及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像の色相を観測者の判定に基づいて調整し、該調整された色画像と前記映像信号とを比較して該映像信号を補正するための補正データを作成し、該補正データに基づいて前記映像信号を調整する白色点調整処理を行うことを特徴としている。
【００２７】
請求項２０記載の発明は、光源から発生した白色光を赤，緑，青の原色光に分光し、前記各原色光を映像信号に対応してそれぞれ変調した後、合成して白色のスクリーンに投射する映像投射装置において、前記スクリーンに表示される画像の色調整を行う色調整方法に係り、白色の基準色画像及び該基準色画像の輝度、色相又は飽和度のうちの少なくとも一つが異なる複数種類の色画像を前記スクリーンに投射し、観測者の判定に基づいて前記各色画像から前記基準色画像に最も近い色画像を選択し、該選択された前記色画像の色相を観測者の判定に基づいて調整し、該調整された色画像と前記映像信号とを比較して該映像信号を補正するための補正データを作成し、該補正データに基づいて前記映像信号を調整する白色点調整処理を行うことを特徴としている。
【００２８】
請求項２１記載の発明は、光源から発生した白色光を映像信号に対応して変調した後、スクリーンに投射する映像投射装置において、前記スクリーンに表示される画像の色調整を行う色調整方法に係り、赤，緑，青、及びこれらを合成した白色の色画像、及び前記赤，緑，青の色画像の色度を調整するための色度調整用画面を前記スクリーンに投射し、観測者が前記色度調整用画面を用いて前記赤，緑，青の色度を調整し、該調整された色画像と前記映像信号とを比較して該映像信号を補正するための補正データを作成し、該補正データに基づいて前記映像信号を調整する白色点調整処理を行うことを特徴としている。
【００２９】
請求項２２記載の発明は、光源から発生した白色光を赤，緑，青の原色光に分光し、前記各原色光を映像信号に対応してそれぞれ変調した後、合成してスクリーンに投射する映像投射装置において、前記スクリーンに表示される画像の色調整を行う色調整方法に係り、赤，緑，青、及びこれらを合成した白色の色画像、及び前記赤，緑，青の色画像の色度を調整するための色度調整用画面を前記スクリーンに投射し、観測者が前記色度調整用画面を用いて前記赤，緑，青の色度を調整し、該調整された色画像と前記映像信号とを比較して該映像信号を補正するための補正データを作成し、該補正データに基づいて前記映像信号を調整する白色点調整処理を行うことを特徴としている。
【００３０】
請求項２３記載の発明は、色調整プログラムに係り、コンピュータに請求項１乃至２２記載の映像投射装置における色調整方法を実施させることを特徴としている。
【００３１】
【発明の実施の形態】
以下、図面を参照して、この発明の実施の形態について説明する。
第１の実施形態
図１は、この発明の第１の実施形態である色調整方法を実施するための映像投射装置及びその周辺環境を示す図である。
この形態の映像投射装置における色調整方法は、同図に示すように、映像投射装置１０とスクリーン２０とが組合わされ、観測者Ｍが同スクリーン２０上の投射映像３０を観測し、この観測結果に基づいて同映像投射装置１０を操作することによって行われる。映像投射装置１０は、たとえば３板式の投射形液晶で構成され、光源から発生した白色光を赤（Ｒ），緑（Ｇ），青（Ｂ）の原色光に分光し、同各原色光を映像信号に対応してそれぞれ変調した後、加法混色で合成して白色のスクリーンに投射する。
【００３２】
図２は、図１中の映像投射装置１０の電気的構成を示すブロック図である。
この映像投射装置１０は、図２に示すように、メモリ１１と、調整メニュー作成部１２と、映像信号処理部１３と、操作部１４と、ＣＰＵ１５と、出力信号処理部１６と、映像出力部４０とから構成されている。メモリ１１は、ＲＡＭ（Ｒａｎｄａｍ　Ａｃｃｅｓｓ　Ｍｅｍｏｒｙ）などで構成され、外部から供給された映像信号ｉｎなどを記憶する。調整メニュー作成部１２には、白色の基準色画像及び同基準色画像のパラメータ（すなわち、輝度、色相又は飽和度のうちの少なくとも一つ）が異なる複数種類の色画像からなる色調整用画面データが記憶されると共に、この実施形態の色調整方法を実施させるための色調整プログラムが記憶されている。さらに、調整メニュー作成部１２には、任意の色バランスを有する基準色画像及び同基準色画像のパラメータ（輝度、色相又は飽和度のうちの少なくとも一つ）が異なる複数種類の色画像からなる色調整用画面、特定色の基準色画像及び同基準色画像のパラメータ（輝度、色相又は飽和度のうちの少なくとも一つ）が異なる複数種類の色画像からなる色調整用画面も記憶されている。
【００３３】
映像信号処理部１３は、観測者Ｍの判定に基づいて前記各色画像から最も基準色画像に近い色画像が選択されたとき、この選択された色画像とメモリ１１に記憶されている映像信号ｉｎとを比較して同映像信号ｉｎを補正するための補正データを作成し、同補正データに基づいて同映像信号ｉｎを色調整し、メモリ１１に送出する。操作部１４は、キースイッチなどで構成され、観測者Ｍの判定に基づいて操作される。ＣＰＵ１５は、映像投射装置１０全体を制御する。出力信号処理部１６は、調整メニュー作成部１２から送出される色調整用画面データｍ、又はメモリ１１から送出される色調整された映像信号ｖを映像出力部４０へ送出する。映像出力部４０は、たとえば投射型液晶で構成され、出力信号処理部１６から送出される色調整用画面データｍ又は色調整された映像信号ｖをスクリーン２０に投射する。
【００３４】
図３は、図２中の映像出力部４０の一例を示す構成図である。
この映像出力部４０は、図３に示すように、３板式の投射型液晶であり、ランプ４１と、反射板４２と、干渉フィルタ４３と、ダイクロイックミラー４４，４５と、ミラー４６，４７，４８と、液晶ライトバルブ４９，４Ａ，４Ｂと、ダイクロイックプリズム４Ｃと、投射レンズ４Ｄとから構成されている。
【００３５】
この映像出力部４０では、ランプ４１から発生した白色光がダイクロイックミラー４４，４５で赤（Ｒ），緑（Ｇ），青（Ｂ）の原色光に分光され、同各原色光が色調整用画面データｍ又は映像信号ｖに対応してそれぞれ変調（液晶ライトバルブ４９，４Ａ，４Ｂによって透過又は遮蔽）された後、ダイクロイックプリズム４Ｃで合成され、投射レンズ４Ｄからスクリーン２０に投射される。
【００３６】
図４は映像投射装置１０の動作を説明するためのフローチャート、図５及び図６が色調整方法の説明図である。
これらの図を参照して、この形態の映像投射装置における色調整方法（１），（２）について説明する。
（１）スクリーン２０が白色、かつ外光の影響がない場合の色調整方法（白色点調整処理）
図４に示すように、外部から入力された映像信号（ＲＧＢ）ｉｎがメモリ１１に格納される（ステップＢ１，Ｂ２）。また、調整メニュー作成部１２では、基準色画像及び同基準色画像のパラメータ（輝度、色相又は飽和度のうちの少なくとも一つ）が異なる複数種類の色画像からなる色調整用画面データｍが作成されて記憶されている（ステップＢ３）。
【００３７】
この色調整用画面データｍは、出力信号処理部１６及び映像出力部４０を経てスクリーン２０に投射され、同スクリーン２０上に色調整用画面が表示される。色調整用画面は、図５（ａ）に示すように、白色の基準色画像５０及び同基準色画像５０のパラメータ（輝度、色相又は飽和度のうちの少なくとも一つ）が異なる複数種類の色画像、すなわち、シアン味の画像５１、緑味の画像５２、黄味の画像５３、青味の画像５４、マゼンタ味の画像５５及び赤味の画像５６からなっている。そして、観測者Ｍの目視による判定に基づいて色画像５１，…，５６から基準色画像５０に最も近い色画像が選択される。次に、図５（ｂ）に示すように、選択された色画像を基準色画像５７とし、同基準色画像５７に対して色調整バー５８，５９を用いて観測者Ｍの好みによる任意の色の微調整が行われる。この後、微調整された色画像と映像信号ｉｎとが比較されて同映像信号ｉｎを補正するための補正データが作成され、同補正データに基づいて映像信号ｉｎが調整され（ステップＢ４、白色点調整処理）、色調整された映像信号ｖが取得される（ステップＢ７）。映像信号ｖに基づく映像がスクリーン２０へ投射され（ステップＢ８）、図５（ｃ）に示すように、同スクリーン２０上に色調整後の画像５Ａが表示される。
【００３８】
また、前記ステップＢ４（白色点調整処理）の後、ステップＢ５（色バランス調整処理）へ進む場合、任意の色バランスを有する基準色画像（たとえば、標準的な自然画像など）及び同基準色画像のパラメータ（輝度、色相又は飽和度のうちの少なくとも一つ）が異なる複数種類の色画像からなる色調整用画面データが、調整メニュー作成部１２から出力信号処理部１６及び映像出力部４０を経てスクリーン２０に投射され、同スクリーン２０上に色調整用画面が表示される。この後、白色点調整処理（ステップＢ４）と同様に、観測者Ｍの目視による判定に基づいて前記各色画像から最も前記基準色画像に近い色画像が選択され、同選択された色画像と映像信号ｉｎとが比較されて同映像信号ｉｎを補正するための補正データが作成される。同補正データに基づいて映像信号ｉｎの色バランスが調整され、色バランス調整された映像信号ｖが取得され、同映像信号ｖに基づく映像がスクリーン２０へ投射される。
【００３９】
また、前記ステップＢ５（色バランス調整処理）の後、ステップＢ６（特定色調整処理）へ進む場合、特定色の基準色画像（たとえば、肌色や空色などの記憶色）及び同基準色画像のパラメータ（輝度、色相又は飽和度のうちの少なくとも一つ）が異なる複数種類の色画像からなる色調整用画面データが、調整メニュー作成部１２から出力信号処理部１６及び映像出力部４０を経てスクリーン２０に投射され、同スクリーン２０上に色調整用画面が表示される。この後、白色点調整処理（ステップＢ４）と同様に、観測者Ｍの目視による判定に基づいて前記各色画像から最も前記基準色画像に近い色画像が選択され、同選択された色画像と映像信号ｉｎとが比較されて同映像信号ｉｎを補正するための補正データが作成される。同補正データに基づいて映像信号ｉｎの特定色が調整され、特定色が調整された映像信号ｖが取得され、同映像信号ｖに基づく映像がスクリーン２０へ投射される。
【００４０】
（２）スクリーン２０が白色かつ外光の影響がある場合、又は同スクリーン２０が白色以外の場合の色調整方法
スクリーン２０に表示される色調整用画面は、図６（ａ）に示すように、白色の基準色画像６０及び同基準色画像６０のパラメータ（輝度、色相又は飽和度のうちの少なくとも一つ）が異なる複数種類の色画像、すなわち、調整画面６１、調整画面６２、調整画面６３、及び調整画面６４からなっている。そして、観測者Ｍの目視による判定に基づいて、調整画面６１，６２，６３，６４から、白色のスクリーン２０に投射したときの基準色画像６０に最も近い調整画面が選択される（色調整▲１▼）。
【００４１】
次に、図６（ｂ）に示すように、色調整▲１▼で選択された調整画面を基準色画像７０とし、同基準色画像７０及び同基準色画像７０のパラメータ（輝度、色相又は飽和度のうちの少なくとも一つ）が異なる調整画面７１、調整画面７２、調整画面７３、及び調整画面７４がスクリーン２０に表示される。そして、観測者Ｍの目視による判定に基づいて、調整画面７１，７２，７３，７４から、白色のスクリーン２０に投射したときの基準色画像７０に最も近い調整画面が選択される（色調整▲２▼）。この後、色調整▲２▼で選択された調整画面と映像信号ｉｎとが比較されて同映像信号ｉｎを補正するための補正データが作成され、同補正データに基づいて映像信号ｉｎが調整され（白色点調整処理）、色調整された映像信号ｖが取得される。映像信号ｖに基づく映像がスクリーン２０へ投射され、図６（ｃ）に示すように、色調整後の画像７５が表示される。
【００４２】
また、色バランス調整処理では、任意の色バランスを有する基準色画像（たとえば、標準的な自然画像など）及び同基準色画像のパラメータ（輝度、色相又は飽和度のうちの少なくとも一つ）が異なる複数種類の調整画面からなる色調整用画面データが、スクリーン２０に投射されて表示される。この後、白色点調整処理と同様に、観測者Ｍの目視による判定に基づいて前記各調整画面から前記基準色画像に最も近い調整画面が選択され、同選択された調整画面と映像信号ｉｎとが比較されて同映像信号ｉｎを補正するための補正データが作成される。同補正データに基づいて映像信号ｉｎの色バランスが調整され、色バランス調整された映像信号ｖが取得され、同映像信号ｖに基づく映像がスクリーン２０へ投射される。
【００４３】
また、特定色調整処理では、特定色の基準色画像（たとえば、肌色や空色などの記憶色）及び同基準色画像のパラメータ（輝度、色相又は飽和度のうちの少なくとも一つ）が異なる複数種類の調整画面からなる色調整用画面データが、スクリーン２０に投射されて表示される。この後、白色点調整処理と同様に、観測者Ｍの目視による判定に基づいて前記各調整画面から前記基準色画像に最も近い調整画面が選択され、同選択された調整画面と映像信号ｉｎとが比較されて同映像信号ｉｎを補正するための補正データが作成される。同補正データに基づいて映像信号ｉｎの特定色が調整され、特定色が調整された映像信号ｖが取得され、同映像信号ｖに基づく映像がスクリーン２０へ投射される。
【００４４】
以上のように、この第１の実施形態では、基準色画像に最も近い画像を観測者Ｍの目視による判定に基づいて選択し、この選択された画面に基づいて補正データを作成し、同補正データに基づいて映像信号ｉｎを調整するようにしたので、色彩計などのセンサを使用せずに白色点調整処理、色バランス調整処理、及び特定色調整処理を行うことができる。
【００４５】
第２の実施形態
図７は、この発明の第２の実施形態である映像投射装置における色調整方法の説明図である。
この形態では、色調整用画面は、図７（ａ）に示すように、白色の基準色画像８０及び同基準色画像８０のパラメータ（輝度、色相又は飽和度のうちの少なくとも一つ）が異なる複数種類の色画像、すなわち、シアン味の白の画像８１、緑味の白の画像８２、黄味の白の画像８３、青味の白の画像８４、マゼンタ味の白の画像８５及び赤味の白の画像８６からなっている。そして、観測者Ｍの目視による判定に基づいて色画像８１，…，８６から基準色画像８０に最も近い色画像が選択される。
【００４６】
次に、図７（ｂ）に示すように、選択された色画像（たとえば、黄味の白の画像８３）を基準色画像とし、同画像８３に対して色相の隣接している緑味の白の画像８２及び赤味の白の画像８６が表示され、観測者の判定に基づいて調整用バー８７が操作されて黄味の白の画像８３の色相が緑味の白の画像８２と赤味の白の画像８６との間で調整される。この調整された黄味の白の画像８３と映像信号ｉｎとが比較されて同映像信号ｉｎを補正するための補正データが作成される。同補正データに基づいて映像信号ｉｎの白色点が調整され（白色点調整処理）、同白色点の調整された映像信号ｖが取得され、図７（ｃ）に示すように、同映像信号ｖに基づく画像８８がスクリーン２０へ投射される。
【００４７】
以上のように、この第２の実施形態では、基準色画像に最も近い画像を観測者Ｍの目視による判定に基づいて選択し、この選択された画面の色相を同観測者Ｍの目視による判定に基づいて調整し、この調整された画面に基づいて補正データを作成し、同補正データに基づいて映像信号ｉｎを調整するようにしたので、色彩計などのセンサを使用せずに白色点調整処理を行うことができる。
【００４８】
第３の実施形態
図８は、この発明の第３の実施形態である映像投射装置における色調整方法の説明図である。
この形態では、図８に示すように、赤（Ｒ）の画像９１，緑（Ｇ）の画像９２，青（Ｂ）の画像９３、及びこれらが加法混色で合成された白色の画像９４、及び赤（Ｒ）の画像９１，緑（Ｇ）の画像９２，青（Ｂ）の画像９３の色度を調整するための色度調整用画面１００がスクリーン２０に投射される。色度調整用画面１００には、赤（Ｒ）調整用カーソル１０１、緑（Ｇ）調整用カーソル１０２、及び青（Ｂ）調整用カーソル１０３が表示される。これらの赤（Ｒ）調整用カーソル１０１、緑（Ｇ）調整用カーソル１０２、及び青（Ｂ）調整用カーソル１０３の色度調整用画面１００上の位置は、ＣＩＥ（国際照明委員会）色彩図に準拠して決定され、赤（Ｒ）の画像９１，緑（Ｇ）の画像９２，青（Ｂ）の画像９３の各色度に対応している。
【００４９】
そして、観測者Ｍは、白色の画像９４を観測しつつ操作部１４を操作することにより、赤（Ｒ）調整用カーソル１０１、緑（Ｇ）調整用カーソル１０２、及び青（Ｂ）調整用カーソル１０３の位置を移動させて赤（Ｒ）の画像９１，緑（Ｇ）の画像９２，青（Ｂ）の画像９３の各色度を調整し、白色の画像９４を調整する。この調整された白色の画像９４と映像信号ｉｎとが比較されて同映像信号ｉｎを補正するための補正データが作成される。同補正データに基づいて映像信号ｉｎの白色点が調整され（白色点調整処理）、同白色点が調整された映像信号ｖが取得され、同映像信号ｖに基づく映像がスクリーン２０へ投射される。
【００５０】
以上のように、この第３の実施形態では、観測者Ｍの目視による判定に基づいて色度調整用画面１００上の各カーソル１０１，１０２，１０３を移動させて白色の画像９４を調整し、この調整された画面に基づいて補正データを作成し、同補正データに基づいて映像信号ｉｎを調整するようにしたので、色彩計などのセンサを使用せずに白色点調整処理を行うことができる。
【００５１】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、第１の実施形態におけるステップＢ４（白色点調整処理）、ステップＢ５（色バランス調整処理）及びステップＢ６（特定色調整処理）は、連続して行っても良く、また、任意の順序で行っても良い。また、これらの各処理は、任意の２つのみを行っても良い。また、図６（ａ），（ｂ）に示すように、調整画面の選択を２回行っているが、必要に応じて３回以上行っても良い。また、図２中の映像出力部４０は、３板式の投射型液晶の他、たとえば、単板式の投射型液晶やＤＬＰ（Ｄｉｇｉｔａｌ　Ｌｉｇｈｔ　Ｐｒｏｃｅｓｓｉｎｇ）プロジェクタなどでも良い。ＤＬＰは、米国テキサスインスツルメンツ社で開発された投射型映像表示方法であり、たとえば１３μｍ四方の小型の鏡（ＤＭＤ、ディジタル・マイクロミラー・デバイス）を数百万個敷き詰めた素子の各々の鏡の向きを制御することにより、光源の光を反射させて映像をスクリーンに投射するものである。
【００５２】
【発明の効果】
以上説明したように、この発明の構成によれば、基準色画像に最も近い画像を観測者の目視による判定に基づいて選択し、この選択された画面に基づいて補正データを作成し、同補正データに基づいて映像信号を調整するようにしたので、色彩計などのセンサを使用せずに白色点調整処理、色バランス調整処理、及び特定色調整処理を行うことができる。また、基準色画像に最も近い画像を観測者の目視による判定に基づいて選択し、この選択された画面の色相を同観測者の目視による判定に基づいて調整し、この調整された画面に基づいて補正データを作成し、同補正データに基づいて映像信号を調整するようにしたので、色彩計などのセンサを使用せずに白色点調整処理を行うことができる。また、観測者が色度調整用画面を用いて赤（Ｒ），緑（Ｇ），青（Ｂ）の色度を調整し、この調整された画面に基づいて補正データを作成し、同補正データに基づいて映像信号を調整するようにしたので、色彩計などのセンサを使用せずに白色点調整処理を行うことができる。
【図面の簡単な説明】
【図１】この発明の第１の実施形態である色調整方法を実施するための映像投射装置及びその周辺環境を示す図である。
【図２】図１中の映像投射装置１０の電気的構成を示すブロック図である。
【図３】図２中の映像出力部４０の一例を示す構成図である。
【図４】映像投射装置１０の動作を説明するためのフローチャートである。
【図５】色調整方法の説明図である。
【図６】色調整方法の説明図である。
【図７】この発明の第２の実施形態である映像投射装置における色調整方法の説明図である。
【図８】この発明の第３の実施形態である映像投射装置における色調整方法の説明図である。
【図９】従来の色調整方法を実施するための映像投射装置及びその周辺環境を示す図である。
【図１０】図９中の映像投射装置１の電気的構成を示す概略のブロック図である。
【図１１】従来の色調整方法を説明するためのフローチャートである。
【図１２】従来の色調整方法を実施するための他の映像投射装置及びその周辺環境を示す図である。
【符号の説明】
１０　　　映像投射装置
２０　　　スクリーン
５０　　　基準色画像
５１　　　シアン味の画像
５２　　　緑味の画像
５３　　　黄味の画像
５４　　　青味の画像
５５　　　マゼンタ味の画像
５６　　　赤味の画像
５７　　　基準色画像
５Ａ　　　色調整後の画像
６０　　　基準色画像
６１，６２，６３，６４　　　調整画面
７０　　　基準色画像
７１，７２，７３，７４　　　調整画面
７５　　　色調整後の画像
８０　　　基準色画像
８１　　　シアン味の白の画像
８２　　　緑味の白の画像
８３　　　黄味の白の画像
８４　　　青味の白の画像
８５　　　マゼンタ味の白の画像
８６　　　赤味の白の画像
９４　　　白色の画像
１００　　　色度調整用画面
１０１　　　赤（Ｒ）調整用カーソル
１０２　　　緑（Ｇ）調整用カーソル
１０３　　　青（Ｂ）調整用カーソル
Ｍ　　　観測者
【図１】
2004015522.tif 000003
【図２】
2004015522.tif 000004
【図３】
2004015522.tif 000005
【図４】
2004015522.tif 000006
【図５】
2004015522.tif 000007
【図６】
2004015522.tif 000008
【図７】
2004015522.tif 000009
【図８】
2004015522.tif 000010
【図９】
2004015522.tif 000011
【図１０】
2004015522.tif 000012
【図１１】
2004015522.tif 000013
【図１２】
2004015522.tif 000014